(57)【要約】【課題】認識コードを読み取った利用者端末に送信する情報データを効果的に差し替えることが可能であると共に、入手できる情報データを認識コードの読み取り前に予め利用者に認識させることが可能な認識コードを利用した情報提供システムの提供を課題とする。【解決手段】通常時においては関連情報データを認識コード管理用サーバ３０に記憶させ、非通常時においては関連情報データに替えて非関連情報データを認識コード管理用サーバ３０に記憶させ、カラーバーコードＫを利用者端末２０が読み取った際、通常時においては認識コード管理用サーバ３０が関連情報データを利用者端末２０に送信し、非通常時においては認識コード管理用サーバ３０が非関連情報データを利用者端末２０に送信することを可能とする情報データ切り換え手段を備えると共に、カラーバーコードＫをピクトグラムＳの近傍に配置する認識コードを利用した情報提供システム１である。【選択図】      図１
2017220052.tif 000002
【特許請求の範囲】
【請求項１】
電子化された情報データに関連付けた認識コードを付与する認識コード付与手段と、該認識コード付与手段によって付与される認識コードと、前記情報データとを紐付けて記憶部に記憶させる記憶手段と、前記認識コードを読み取り可能なアプリケーションプログラムを備える利用者端末が、前記認識コードを読み取ると、前記認識コードに紐付けられて記憶部に記憶されている情報データを、前記記憶部から前記利用者端末へと送信する送信手段とを備えてなる認識コードを利用した情報提供システムであって、前記記憶部に記憶させる情報データとして、通常時においては、ピクトグラム等の想起用標識が利用者に想起させる特定の事物や概念と関連する情報データである関連情報データを記憶部に記憶させ、通常時以外の非通常時においては、前記関連情報データに替えて、想起用標識が利用者に想起させる特定の事物や概念と関連しない情報データである非関連情報データを記憶部に記憶させ、これによって、前記認識コードを利用者端末が読み取った際、通常時においては、前記送信手段が前記関連情報データを利用者端末に送信し、非通常時においては、前記送信手段が前記非関連情報データを利用者端末に送信することを可能とする情報データ切り換え手段を備えると共に、前記認識コードを前記想起用標識の近傍に配置することを特徴とする認識コードを利用した情報提供システム。
【請求項２】
関連情報データと、非関連情報データとの少なくとも一方について、複数種類の情報データを備えると共に、情報データ切り換え手段が、時間と、曜日と、日付との少なくとも何れか一つの因子によって、複数種類の前記情報データの中から、認識コードと紐付けて記憶部に記憶させる情報データを１乃至複数選択することを特徴とする請求項１に記載の認識コードを利用した情報提供システム。
【請求項３】
認識コードを複数備え、非通常時においては、情報データ切り換え手段が、複数の前記認識コードのそれぞれに紐付けて記憶部に記憶させてある関連情報データを、一種類の非関連情報データに替えて記憶部に記憶させることを特徴とする請求項１又は２に記載の認識コードを利用した情報提供システム。
【請求項４】
認識コードは、カラーバーコードであることを特徴とする請求項１〜３の何れか１項に記載の認識コードを利用した情報提供システム。
【請求項５】
非関連情報データは、災害時における避難誘導情報データ等の災害時対策情報データであることを特徴とする請求項１〜４の何れか１項に記載の認識コードを利用した情報提供システム。
【発明の詳細な説明】
【技術分野】
【０００１】
本発明は、認識コードを利用して電子化された情報を利用者に提供する認識コードを利用した情報提供システムに関する。
【背景技術】
【０００２】
従来、認識コードを利用して電子化された情報の提供を行う情報提供システムとしては、ＱＲコード（登録商標）を利用した情報提供システムがあった。
このような従来の情報提供システムを示す従来技術として、下記特許文献１がある。
【先行技術文献】
【特許文献】
【０００３】
【特許文献１】特開２０１６−８５６１５号公報
【発明の概要】
【発明が解決しようとする課題】
【０００４】
上記特許文献１は、情報取得システム、サーバ及び情報提供プログラムに関する発明で、複数の情報コード（認識コード）を時系列で連続して読み取る場合に、その読み取られた複数の情報コードに対応する適切な情報を取得できるというメリットがある。
しかし、このような従来のＱＲコード（登録商標）を利用した情報提供システムにおいては、ＱＲコード（登録商標）と、ＱＲコード（登録商標）に紐付けられる情報データとが一対一の関係にあるものが一般的であった。よって、一つのＱＲコード（登録商標）を読み取った利用者端末に一つの情報データしか提供することができず、利用者に効果的な情報提供を行うことができないという問題があった。
また、従来のＱＲコード（登録商標）を利用した情報提供システムにおいては、ＱＲコード（登録商標）の近傍にＱＲコード（登録商標）を介して取得できる情報の内容を説明する説明文を添付するものが一般的であった。よって、利用者がＱＲコード（登録商標）を介して取得できる情報の内容を容易に認識できないと共に、説明文の作成に手間がかかるという問題があった。
【０００５】
そこで本発明は上記従来における問題点を解決し、認識コードを読み取った利用者端末に送信する情報データを効果的に差し替えることが可能であると共に、利用者に対して認識コードを介して入手できる情報データを容易に認識させることが可能な認識コードを利用した情報提供システムの提供を課題とする。
【課題を解決するための手段】
【０００６】
上記課題を達成するため、本発明の情報提供システムは、電子化された情報データに関連付けた認識コードを付与する認識コード付与手段と、該認識コード付与手段によって付与される認識コードと、前記情報データとを紐付けて記憶部に記憶させる記憶手段と、前記認識コードを読み取り可能なアプリケーションプログラムを備える利用者端末が、前記認識コードを読み取ると、前記認識コードに紐付けられて記憶部に記憶されている情報データを、前記記憶部から前記利用者端末へと送信する送信手段とを備えてなる認識コードを利用した情報提供システムであって、前記記憶部に記憶させる情報データとして、通常時においては、ピクトグラム等の想起用標識が利用者に想起させる特定の事物や概念と関連する情報データである関連情報データを記憶部に記憶させ、通常時以外の非通常時においては、前記関連情報データに替えて、想起用標識が利用者に想起させる特定の事物や概念と関連しない情報データである非関連情報データを記憶部に記憶させ、これによって、前記認識コードを利用者端末が読み取った際、通常時においては、前記送信手段が前記関連情報データを利用者端末に送信し、非通常時においては、前記送信手段が前記非関連情報データを利用者端末に送信することを可能とする情報データ切り換え手段を備えると共に、前記認識コードを前記想起用標識の近傍に配置することを第１の特徴としている。
また本発明の情報提供システムは、上記第１の特徴に加えて、関連情報データと、非関連情報データとの少なくとも一方について、複数種類の情報データを備えると共に、情報データ切り換え手段が、時間と、曜日と、日付との少なくとも何れか一つの因子によって、複数種類の前記情報データの中から、認識コードと紐付けて記憶部に記憶させる情報データを１乃至複数選択することを第２の特徴としている。
また本発明の情報提供システムは、上記第１又は第２の特徴に加えて、認識コードを複数備え、非通常時においては、情報データ切り換え手段が、複数の前記認識コードのそれぞれに紐付けて記憶部に記憶させてある関連情報データを、一種類の非関連情報データに替えて記憶部に記憶させることを第３の特徴としている。
また本発明の情報提供システムは、上記第１〜第３の何れか１つの特徴に加えて、認識コードは、カラーバーコードであることを第４の特徴としている。
また本発明の情報提供システムは、上記第１〜第４の何れか１つの特徴に加えて、非関連情報データ、災害時のおける避難誘導情報データ等の災害時対策情報データであることを第５の特徴としている。
【発明の効果】
【０００７】
上記第１の特徴による情報提供システムによれば、電子化された情報データに関連付けた認識コードを付与する認識コード付与手段と、該認識コード付与手段によって付与される認識コードと、前記情報データとを紐付けて記憶部に記憶させる記憶手段と、前記認識コードを読み取り可能なアプリケーションプログラムを備える利用者端末が、前記認識コードを読み取ると、前記認識コードに紐付けられて記憶部に記憶されている情報データを、前記記憶部から前記利用者端末へと送信する送信手段とを備えてなる認識コードを利用した情報提供システムであって、前記記憶部に記憶させる情報データとして、通常時においては、ピクトグラム等の想起用標識が利用者に想起させる特定の事物や概念と関連する情報データである関連情報データを前記記憶部に記憶させ、通常時以外の非通常時においては、前記関連情報データに替えて、想起用標識が利用者に想起させる特定の事物や概念と関連しない情報データである非関連情報データを記憶部に記憶させ、これによって、前記認識コードを利用者端末が読み取った際、通常時においては、前記送信手段が前記関連情報データを利用者端末に送信し、非通常時においては、前記送信手段が前記非関連情報データを利用者端末に送信することを可能とする情報データ切り換え手段を備えると共に、前記認識コードを前記想起用標識の近傍に配置することから、認識コードを想起用標識の近傍に配置すると共に、通常時においては認識コードを読み取った利用者端末に関連情報データを送信することで、認識コードを介して入手できる情報データがどのような情報データであるのかを、想起用標識によって認識コードの読み取り前に利用者に容易に想起させることができる。よって、想起用標識を利用者への情報入手場所の目印として効果的に利用することができる。また、利用者にとっては、詳細な情報の取得を希望する認識コードがどれかを容易に判断することができ、無用な認識コードの読み取りを効果的に防ぐことができる。従って、利便性の高い情報提供システムとすることができる。更に、非通常時においては、非関連情報データを入手できる目印として、想起用標識を効果的に利用することができる。また、非通常時においては、関連情報データに替えて非関連情報データを利用者端末へ送信する構成とすることで、利用者に対して効果的な情報提供が可能な情報提供システムとすることができる。
【０００８】
また上記第２の特徴による情報提供システムによれば、上記第１の特徴による作用効果に加えて、関連情報データと、非関連情報データとの少なくとも一方について、複数種類の情報データを備えると共に、情報データ切り換え手段が、時間と、曜日と、日付との少なくとも何れか一つの因子によって、複数種類の前記情報データの中から、認識コードと紐付けて記憶部に記憶させる情報データを１乃至複数選択することから、利用者が認識コードを介してバリエーションに富んだ情報データを入手することができ、一段と利用者のニーズに沿った情報データを提供できるシステムとすることができる。
【０００９】
また上記第３の特徴による情報提供システムによれば、上記第１又は第２の特徴による作用効果に加えて、認識コードを複数備え、非通常時においては、情報データ切り換え手段が、複数の前記認識コードのそれぞれに紐付けて記憶部に記憶させてある関連情報データを、一種類の非関連情報データに替えて記憶部に記憶させることから、非通常時において、どの認識コードを利用者が読み取った場合でも、利用者に一種類の非関連情報データの提供を行うことができる。よって、いち早く利用者に提供すべき情報データを迅速に提供可能な情報提供システムとすることができる。
【００１０】
また上記第４の特徴による情報提供システムによれば、上記第１〜第３の何れか１つの特徴による作用効果に加えて、認識コードは、カラーバーコードであることから、視認性が高く、複数個の同時認識が可能で、安価な認識コードを実現することができる。
【００１１】
また上記第５の特徴による情報提供システムによれば、上記第１〜第４の何れか１つの特徴による作用効果に加えて、非関連情報データは、災害時における避難誘導情報データ等の災害時対策情報データであることから、通常時は想起用標識と関連する情報データを利用者に提供できると共に、非通常時は認識コードを利用して効果的に災害時対策情報データを提供可能な情報提供システムとすることができる。よって、別途インフラ設備を設ける必要がなく、既存の認識コードを利用して効果的に災害時対策が可能なシステムを実現できる。
【図面の簡単な説明】
【００１２】
【図１】本発明の実施形態に係る情報提供システムのシステム構成を示す図である。
【図２】本発明の実施形態に係る情報提供システムの機能ブロック図である。
【図３】本発明の実施形態に係る情報提供システムの機能ブロック図である。
【図４】本発明の実施形態に係る情報提供システムにおける、サーバの記憶部の構成を示す図である。
【図５】本発明の実施形態に係る情報提供システムを用いた情報提供の流れを示す図である。
【図６】本発明の実施形態に係る情報提供システムを用いた情報提供の流れを示す図である。
【図７】本発明の実施形態に係る記憶部における認識コードの格納状態を模式的に示す図である。
【図８】本発明の実施形態に係る情報提供システムを用いた情報提供の流れを示す図である。
【図９】本発明の実施形態に係る記憶部における認識コードの格納状態を模式的に示す図である。
【発明を実施するための形態】
【００１３】
以下、各図面を参照して、本発明の実施形態に係る情報提供システムを説明し、本発明の理解に供する。しかし、以下の説明は特許請求の範囲に記載の本発明を限定するものではない。
【００１４】
本発明の実施形態に係る情報提供システム１は、認識コードを利用して利用者に電子化された情報データの提供を行うシステムである。
なお、ここで「電子化された情報データ」とは、静止画像、動画、音声、音楽等の各種コンテンツ等、電子データとして利用者端末２０が受け取って、表示・再生可能なデータの全てを含む概念である。
この情報提供システム１は図１に示すように、利用者端末２０と、認識コード管理用サーバ３０と、システム運用管理用サーバ４０と、管理者端末５０と、電気通信回線６０とで構成される。
【００１５】
前記利用者端末２０は、利用者が所有し、認識コードを利用して電子化された情報データを取得する端末である。この利用者端末２０は、主として、電気通信回線６０を介して接続される認識コード管理用サーバ３０との間で所定の情報や各種データを送受信する。
なお、この利用者端末２０は、認識コードを読み取り可能なアプリケーションプログラム（以下、アプリとする。）を内蔵している。
また、利用者端末２０としては、例えばパーソナルコンピュータ、移動体通信端末（例えば、携帯電話）等、電気通信回線６０と接続可能な各種端末を用いることができる。
【００１６】
なお、本実施形態においては、認識コードとして、図１（ｂ）に示す複数のマス目Ｂに、赤、青、黄等の色を配列してなるカラーバーコードＫを用いる構成としてある。また図１（ａ）に示すように、カラーバーコードＫ１〜カラーバーコードＫ３の三つのカラーバーコードＫを用いる構成としてある。なお詳しくは図示していないが、この三つのカラーバーコードＫは、それぞれ異なる場所に配置されているものとする。
勿論、認識コードはカラーバーコードＫに限るものではなく、バーコード等の一次元のコード、ＱＲコード（登録商標）等の二次元のコード等、情報データをデコード可能な如何なるコードを用いる構成としてもよい。
また、本実施形態においては、カラーバーコードＫとして、シールに印刷したものを用い、後述するピクトグラムＳの近傍にシール状のカラーバーコードＫを貼り付ける構成としてある。
【００１７】
また本実施形態においては図１（ａ）に簡略化して示すように、このカラーバーコードＫは、利用者に特定の事物や概念を想起させるために用いる想起用標識としてのピクトグラムＳの近傍に配置する構成としてある。具体的には、本実施形態においては、一つのピクトグラムＳと一つのカラーバーコードＫとをワンセットで配置する構成としてある。また、カラーバーコードＫ１〜カラーバーコードＫ３の三つのカラーバーコードＫのそれぞれに、ピクトグラムＳ１〜ピクトグラムＳ３の三つのピクトグラムを配置する構成としてある。より具体的には、病院を想起させるピクトグラムＳ１の近傍にカラーバーコードＫ１配置し、電車を想起させるピクトグラムＳ２の近傍にカラーバーコードＫ２を配置し、レストンランを想起させるフォークのピクトグラムＳ３の近傍にカラーバーコードＫ３を配置する構成としてある。
なお、ここで「想起用標識」とは、標識を見る者に対して、特定の事物や概念を想起させることができる標識を意味するものである。本実施形態においては、想起用標識としてピクトグラムＳを用いる構成としたが、必ずしもこのような構成に限るものではなく、写真、ロゴ、絵文字、アイコン、地図記号等、標識を見る者に対して、特定の事物や概念を想起させることができるものであれば、如何なるものを用いてもよい。
【００１８】
更に本実施形態においては、電子化された情報データとして、通常時に利用者端末２０へ送信する関連情報データと、非通常時に利用者端末２０へ送信する非関連情報データとを備える構成としてある。
なおここで「関連情報データ」とは、ピクトグラムＳ等の想起用標識が利用者に想起させる特定の事物や概念と関連する情報データを意味するもので、「非関連情報データ」とは、ピクトグラム等の想起用標識が利用者に想起させる特定の事物や概念と関連しない情報データを意味するものである。
また、「通常時」とは、本システム運用時における平常時を意味するもので、「非通常時」とは、災害時等、本システム運用時における平常時以外のときを意味するものである。本実施形態においては、非通常時を大規模地震発生時として、以下の説明を行うものとする。
本実施形態においては、これら関連情報データ、非関連情報データは、認識コード管理用サーバ３０から利用者端末２０へと送信される。
【００１９】
図２（ａ）に示すように、利用者端末２０は、制御部２１と、記憶部２２と、通信部２３と、表示部２４と、操作部２５とで構成される。
【００２０】
前記制御部２１は、ＣＰＵ（Ｃｅｎｔｒａｌ  Ｐｒｏｃｅｓｓｉｎｇ  Ｕｎｉｔ）からなり、記憶部２２に格納されているＯＳ（Ｏｐｅｒａｔｉｎｇ  Ｓｙｓｔｅｍ）や各種プログラムに基づき、各種処理の指示等を行うためのものである。本実施形態においては、例えば、カラーバーコードＫの読み取り処理等を行う。
【００２１】
前記記憶部２２は、ＲＯＭ（Ｒｅａｄ  Ｏｎｌｙ  Ｍｅｍｏｒｙ）とＲＡＭ（Ｒａｎｄｏｍ  Ａｃｃｅｓｓ  Ｍｅｍｏｒｙ）を含み、制御部２１が各部を制御するための制御プログラムや各種データ等を記憶するためのものである。本実施形態においては、例えば、カラーバーコードＫを読み取り可能なアプリや利用者２が利用者端末２０を利用する際の使用言語の設定等を記憶部２２に記憶させてある。
【００２２】
前記通信部２３は、電気通信回線６０を介して認識コード管理用サーバ３０との間で各種データの送受信や各種処理コマンドの送信を行う機能やセキュリティ機能を利用者端末２０に付与するためのものである。
【００２３】
前記表示部２４は、主として、利用者端末２０で入出力を行う各種データや、認識コード管理用サーバ３０との間で送受信する各種データを表示するためのもので、ＬＣＤ（Ｌｉｑｕｉｄ  Ｃｒｙｓｔａｌ  Ｄｉｓｐｌａｙ）等からなるディスプレイと、これを駆動するためのディスプレイ駆動回路を備える。このディスプレイ駆動回路は、利用者端末２０が受信した信号データに基づいてディスプレイを駆動する。これによってディスプレイに画像データや文字データ等の各種情報が表示される。なお、表示されるデータは、画像データ、文字データ、音声データ、動画データ等、如何なる形式のデータであってもよい。
【００２４】
前記操作部２５は、利用者端末２０の各種操作や各種指示を行うためのもので、例えばタッチパネルや操作ボタン等で形成される。
【００２５】
前記認識コード管理用サーバ３０は、情報提供システム１の管理者が管理するサーバで、利用者端末２０が読み取るカラーバーコードＫと関連付けられる情報データを記憶、管理する機能等を有するものである。
なお、ここで「管理者が管理する」とは、管理者が直接的に管理する場合と、管理者が間接的に管理する場合の両方を含む概念である。より具体的には、管理者が自ら所有するサーバで本システムを管理、運用する場合と、第三者が所有するサーバを用いて本システムを管理、運営する場合の両方を含む概念である。
この認識コード管理用サーバ３０は図２（ｂ）に示すように、主として制御部３１と、記憶部３２と、通信部３３とで構成される。
【００２６】
前記制御部３１は、情報提供システム１を運営、管理するプログラムを保有すると共に、本システムを運営、管理するための所定の処理を行う機能を有するものである。
本実施形態においては、制御部３１は、主に以下の処理を行う。
【００２７】
まず、ピクトグラムＳと、カラーバーコードＫと、情報データと、識別コードと、カラーバーコードＫの設置場所との五つのデータをそれぞれ記憶部３２に記憶させる処理を行う。
またそれとは別に、図７（ａ）に示すように、ピクトグラムＳと、カラーバーコードＫと、カラーバーコードＫと紐付けられる情報データと、カラーバーコードＫの設置場所との四つのデータを識別コードのデータと紐付けて記憶部３２に記憶させる処理を行う。
なお本実施形態においては情報データとして、ＨＴＴＰ（Ｈｙｐｅｒ  Ｔｅｘｔ  Ｔｒａｎｓｆｅｒ  Ｐｒｏｔｏｃｏｌ）又はＨＴＴＰＳ（Ｈｙｐｅｒ  Ｔｅｘｔ  Ｔｒａｎｓｆｅｒ  Ｐｒｏｔｏｃｏｌ  Ｓｅｃｕｒｅ）に基づくＷＥＢ（Ｗｏｒｌｄ  Ｗｉｄｅ  Ｗｅｂ）ページを用いる構成としてある。
また、本実施形態においては説明の便宜上、図７において、情報データたるＨＴＴＰ又はＨＴＴＰＳを、アルファベットを用いて情報データＤ、情報データＥ、情報データＦ、情報データＬとして示すものとする。また、カラーバーコードＫの設置場所データを、設置場所データＧ、設置場所データＨ、設置場所データＪとして示すものとする。
【００２８】
また、既述した通り、本実施形態においては、情報データとして、通常時に利用者端末２０へ送信する関連情報データと、非通常時に利用者端末２０へ送信する非関連情報データとを備える構成としてある。この非関連情報データは、非通常時において、制御部３１が記憶部３２に記憶させてある関連情報データを非関連情報データに差し替えることで、記憶部３２に記憶される。
【００２９】
また、制御部３１は、利用者端末２０がカラーバーコードＫの読み取りを行った場合に、読み取ったカラーバーコードＫに紐付けられている情報データを記憶部３２から抽出すると共に、抽出した情報データを、利用者端末２０へ送信する処理を行う。
【００３０】
また、制御部３１は、システム運用管理用サーバ４０や管理者端末５０が、サーバ３０の照合を得ることが必要なデータ（固体識別番号データやパスワード等）についての認証処理も行う。
【００３１】
更に制御部３１は、利用者端末２０の位置情報（地点情報）であるＧＰＳ情報を取得し、このＧＰＳ情報に基づいて、利用者端末２０がどの地域にあるかを認定する処理を行う。なお、利用者端末２０の位置情報（地点情報）を把握するために利用する情報は、ＧＰＳ情報に限るものではなく、利用者端末２０の位置情報（地点情報）を取得できるものであれば、他の如何なる情報を利用してもよい。
【００３２】
前記記憶部３２は、ピクトグラムＳと、カラーバーコードＫと、情報データと、識別番号と、カラーバーコードＫの設置場所とのそれぞれのデータを記憶する機能を有するものである。
また、通常時においては、ピクトグラムＳと、カラーバーコードＫと、カラーバーコードＫと紐付けられる関連情報データと、カラーバーコードＫの設置場所との四つのデータを、識別番号と紐付けて記憶する機能を有するものである。更に、非通常時においては、ピクトグラムＳと、カラーバーコードＫと、カラーバーコードＫと紐付けられる関連情報データと差し替えられる非関連情報データと、カラーバーコードＫの設置場所との四つのデータを、識別番号と紐付けて記憶する機能を有するものである。
【００３３】
本実施形態においては図４（ａ）に示すように、記憶部３２は、ピクトグラムＳのデータを記憶するピクトグラムデータベース３２ａと、カラーバーコードＫのデータを記憶するカラーバーコードデータベース３２ｂと、情報データを記憶する情報データベース３２ｃと、識別番号のデータを記憶する識別番号データベース３２ｄと、カラーバーコードＫの設置場所のデータを記憶する設置場所データベース３２ｅとを備える。
【００３４】
前記ピクトグラム情報データベース３２ａは、管理者端末５０によって作成されるピクトグラムＳのデータを記憶するためのものである。
【００３５】
前記カラーバーコードデータベース３２ｂは、電子化された情報データに対応させて管理者端末５０によって作成されるカラーバーコードＫのデータを記憶するためのものである。
【００３６】
前記情報データベース３２ｃは、管理者端末５０によって作成されるカラーバーコードＫと紐付けられる電子化された情報データを記憶するためのものである。
なお、既述した通り、本実施形態においては情報データベース３２ｃに記憶させる情報データとして、関連情報データと、非関連情報データとの二種類のデータを用いる構成としてある。
【００３７】
前記識別番号データベース３２ｄは、ピクトグラムＳのデータと、カラーバーコードＫのデータと、カラーバーコードＫに紐付けられる情報データと、カラーバーコードＫの設置場所のデータとの四つのデータを紐付けるために、システム運用管理用サーバ４０が作成する識別番号のデータを記憶するためのものである。本実施形態においては、図７（ａ）に簡略化して示すように、システム運用管理用サーバ４０が、ピクトグラムＳのデータと、カラーバーコードＫのデータと、カラーバーコードＫに紐付けられる情報データと、カラーバーコードＫの設置場所のデータとの四つのデータに共通して一つの識別番号を付与する構成としてある。そして、この識別番号と、ピクトグラムＳのデータと、カラーバーコードＫのデータと、カラーバーコードＫに紐付けられる情報データと、カラーバーコードＫの設置場所のデータとの四つのデータとを紐付けて、識別番号データベース３２ｄに記憶させる構成としてある。
【００３８】
前記設置場所データベース３２ｅは、カラーバーコードＫが設置される設置場所のデータを記憶するためのものである。
設置場所のデータとしては、住所データやＧＰＳ情報データ等に基づく位置情報データ（地点情報データ）を用いることができる。本実施形態においては詳しくは図示していないが、設置場所データとして、ＧＰＳ情報データを用いる構成としてある。勿論、設置場所データとして用いる情報はＧＰＳ情報データに限るものではなく、位置情報データ（地点情報データ）を取得できるものであれば、他の如何なる情報データを利用してもよい。
【００３９】
前記通信部３３は、電気通信回線６０を介して利用者端末２０、システム運用管理用サーバ４０、管理者端末５０との間で各種データの送受信を行う機能を有するものである。
【００４０】
なお、本実施形態においては、この認識コード管理用サーバ３０は、管理者端末５０と電気通信回線６０を介して接続されるいわゆる外部サーバである構成としてある。
【００４１】
前記システム運用管理用サーバ４０は、本システムの運営者が管理するサーバで、情報提供システム１を管理、運営する機能を有するものである。このシステム運用管理用サーバ４０は図３（ａ）に示すように、主として制御部４１と、記憶部４２と、通信部４３とで構成される。
【００４２】
前記制御部４１は、情報提供システム１を運営、管理するプログラムを保有すると共に、本システムを運営、管理するための所定の処理を行う機能を有するものである。
本実施形態においては、制御部４１は、主に以下の処理を行う。
【００４３】
まず、管理者端末５０が作成したカラーバーコードＫに紐付ける識別番号を作成、付与する処理を行う。
また、ピクトグラムＳと、カラーバーコードＫと、情報データと、識別番号と、カラーバーコードＫの設置場所とのそれぞれのデータを記憶部４２に記憶させる処理を行う。
また、ピクトグラムＳと、カラーバーコードＫと、カラーバーコードＫと紐付けられる情報データと、カラーバーコードＫの設置場所との四つのデータをそれぞれ紐付けて記憶部４２に記憶させる処理を行う。より具体的には、図７（ａ）に模式化して示すように、ピクトグラムＳと、カラーバーコードＫと、カラーバーコードＫと紐付けられる情報データと、カラーバーコードＫの設置場所との四つのデータを、識別番号のデータに紐付けて記憶部４２に記憶させる処理を行う。
【００４４】
また制御部４１は、認識コード管理用サーバ３０に対して、ピクトグラムＳと、ピクトグラムＳに関連する関連情報データに付与されるカラーバーコードＫと、カラーバーコードＫと紐付けられる関連情報データと、カラーバーコードＫの設置場所とのそれぞれのデータを記憶部３２に記憶させる指令を出す処理を行う。
更に制御部４１は、認識コード管理用サーバ３０に対して、ピクトグラムＳと、カラーバーコードＫと、カラーバーコードＫと紐付けられる情報データと、カラーバーコードＫの設置場所との四つのデータを、識別番号のデータに紐付けて記憶部３２に記憶させる指令を出す処理を行う。
【００４５】
また制御部４１は、非通常時において、カラーバーコードＫに紐付けて記憶部４２に記憶させてある関連情報を、非関連情報に差し替える指令が管理者端末５０からあった場合に、記憶部４２に記憶させてある関連情報を非関連情報に差し替える処理を行う。
更に上記処理を行った場合、制御部４１は、認識コード管理用サーバ３０に対して、記憶部３２に記憶させてある関連情報を非関連情報に差し替える指令を出す処理を行う。
【００４６】
また、制御部４１は、認識コード管理用サーバ３０や管理者端末５０が、システム運用管理用サーバ４０の照合を得ることが必要なデータ（固体識別番号データやパスワード等）についての認証処理も行う。
【００４７】
前記記憶部４２は、ピクトグラムＳのデータと、カラーバーコードＫのデータと、情報データと、識別番号のデータと、カラーバーコードＫの設置場所のデータとのそれぞれのデータを記憶する機能を有するものである。
また、通常時においては、ピクトグラムＳと、カラーバーコードＫと、カラーバーコードＫと紐付けられる関連情報データと、カラーバーコードＫの設置場所との四つのデータを、識別番号のデータと紐付けて記憶する機能を有するものである。更に、非通常時においては、ピクトグラムＳと、カラーバーコードＫと、カラーバーコードＫと紐付けられる関連情報データと差し替えられる非関連情報データと、カラーバーコードＫの設置場所との四つのデータを、識別番号のデータと紐付けて記憶する機能を有するものである。
本実施形態においては図４（ｂ）に示すように、記憶部４２は、ピクトグラムＳのデータを記憶するピクトグラムデータベース４２ａと、カラーバーコードＫのデータを記憶するカラーバーコードデータベース４２ｂと、カラーバーコードＫと紐付けられる情報データを記憶する情報データベース４２ｃと、識別番号のデータを記憶する識別番号データベース４２ｄと、カラーバーコードＫの設置場所のデータを記憶する設置場所データベース４２ｅとを備える構成としてある。
【００４８】
なお、前記ピクトグラムデータベース４２ａと、カラーバーコードデータベース４２ｂと、情報データベース４２ｃと、識別番号データベース４２ｄと、設置場所データベース４２ｅとの基本的な構成、基本的な機能は、既述したピクトグラムデータベース３２ａと、カラーバーコードデータベース３２ｂと、情報データベース３２ｃと、識別番号データベース３２ｄと、設置場所データベース３２ｅと同一機能、同一構成のものであることから、詳細な説明は省略するものとする。
【００４９】
前記通信部４３は、電気通信回線６０を介して認識コード管理用サーバ３０、管理者端末５０との間で各種データの送受信を行う機能を有するものである。
【００５０】
なお、本実施形態においては、このシステム運用管理用サーバ４０は、管理者端末５０と電気通信回線６０を介して接続されるいわゆる外部サーバである構成としてある。
【００５１】
前記管理者端末５０は、本システムを運用、管理する管理者が所有する端末で、電気通信回線６０を介して接続されるシステム運用管理用サーバ４０との間で所定の情報や各種データを送受信する。
【００５２】
この管理者端末５０は図３（ｂ）に示すように、制御部５１と、記憶部５２と、通信部５３と、表示部５４と、操作部５５とで構成される。
【００５３】
前記制御部５１は、ＣＰＵ（Ｃｅｎｔｒａｌ  Ｐｒｏｃｅｓｓｉｎｇ  Ｕｎｉｔ）からなり、記憶部５２に格納されているＯＳ（Ｏｐｅｒａｔｉｎｇ  Ｓｙｓｔｅｍ）や各種プログラムに基づき、各種処理の指示等を行うためのものである。
本実施形態においては、制御部５１は以下の処理を行う。
【００５４】
まず、ピクトグラムＳと、ピクトグラムＳに関連する関連情報データに紐付けるカラーバーコードＫとを作成する処理を行う。
【００５５】
また、作成したピクトグラムＳに関するデータと、ピクトグラムＳに関連する関連情報データに紐付けられるカラーバーコードＫに関するデータと、カラーバーコードＫに対応する関連情報データとをシステム運用管理用サーバ４０へ送信する処理を行う。
【００５６】
また、非通常時においては、システム運用管理用サーバ４０と認識コード管理用サーバ３０とに対して、カラーバーコードＫの設置場所のデータに基づいて、特定地域に設置されているカラーバーコードＫと紐付けて記憶部３２、記憶部４２にそれぞれ記憶されている情報データを、非関連情報データに差し替えて記憶させる指令コマンドを送信する処理を行う。
【００５７】
前記記憶部５２は、ＲＯＭ（Ｒｅａｄ  Ｏｎｌｙ  Ｍｅｍｏｒｙ）とＲＡＭ（Ｒａｎｄｏｍ  Ａｃｃｅｓｓ  Ｍｅｍｏｒｙ）を含み、制御部５１が各部を制御するための制御プログラムや各種データ等を記憶するためのものである。
【００５８】
前記通信部５３は、電気通信回線６０を介してシステム運用管理用サーバ４０との間で各種データの送受信や各種処理コマンドの送信を行う機能やセキュリティ機能を管理者端末５０に付与するためのものである。
【００５９】
前記表示部５４は、主として、管理者端末５０で入出力を行う各種データや、システム運用管理用サーバ４０との間で送受信する各種データを表示するためのもので、ＬＣＤ（Ｌｉｑｕｉｄ  Ｃｒｙｓｔａｌ  Ｄｉｓｐｌａｙ）等からなるディスプレイと、これを駆動するためのディスプレイ駆動回路を備える。このディスプレイ駆動回路は、管理者端末５０が受信した信号データに基づいてディスプレイを駆動する。これによってディスプレイに画像データや文字データ等の各種情報が表示される。なお、表示されるデータは、画像データ、文字データ、音声データ、動画データ等、如何なる形式のデータであってもよい。
【００６０】
前記操作部５５は、管理者端末５０の各種操作や各種指示を行うためのもので、例えばタッチパネルや操作ボタン等で形成される。
【００６１】
以上のような構成からなる本実施形態に係る情報通信システム１においては、既述した管理者端末５０が、電子化された情報データに関連付けたカラーバーコードＫを付与するための認識コード付与手段を構成する。また、記憶部３２と記憶部４２とが、カラーバーコードＫと情報データとを紐付けて記憶部に記憶させる記憶手段を構成する。また、通信部３３が、記憶部から利用者端末２０へと情報データを送信する送信手段を構成する。また、認識コード管理用サーバ３０と、システム運用管理用サーバ４０と、管理者端末５０とが、通常時と非通常時とで送信手段に送信させる情報データを差し替える情報データ切り替え手段を構成する。
【００６２】
次に図面を参照し、このような構成からなる情報提供システム１を用いた情報提供の流れ（情報提供方法）を、通常時と非通常時とに分けて説明する。
【００６３】
まず図１、図５〜図７を参照して、通常時における情報提供の流れを説明する。
なお図５、図６においては、紙面の関係上、「ピクトグラムＳ、カラーバーコードＫ」と記載すべきところを、「ピクトグラム、コード」と記載するものとする。
【００６４】
図５を参照して、管理者端末５０が、ピクトグラムＳと、ピクトグラムＳに関連する情報データである関連情報データ（本実施形態においてはＨＴＴＰ又はＨＴＴＰＳに基づくＷＥＢ（Ｗｏｒｌｄ  Ｗｉｄｅ  Ｗｅｂ）ページ）に紐付けるカラーバーコードＫとを作成する（ステップＳ１）
そして、管理者端末５０がシステム運用管理用サーバ４０に対して、ピクトグラムＳと、カラーバーコードＫと、カラーバーコードＫに紐付けられる情報データと、カラーバーコードＫの設置場所との四つのデータをそれぞれ紐付けて記憶するように指令コマンドを送る。（ステップＳ２）
【００６５】
これによって、システム運用管理用サーバ４０は、ピクトグラムＳと、カラーバーコードＫと、カラーバーコードＫに紐付けられる情報データと、カラーバーコードＫの設置場所との四つのデータをそれぞれ紐付けて記憶するための識別番号を制御部４１で作成する。（ステップＳ３）そして、制御部４１は、図７に模式化して示すように、ピクトグラムＳと、カラーバーコードＫと、カラーバーコードＫに紐付けられる情報データと、カラーバーコードＫの設置場所との四つのデータを、識別番号のデータと紐付けて記憶部４２に記憶させる。（ステップＳ４）
【００６６】
より具体的には図７（ａ）に示すように、例えば、病院を示すピクトグラムＳ１と、ピクトグラムＳ１に関連する情報データＤと、情報データＤに対応するカラーバーコードＫ１と、カラーバーコードＫ１の設置場所データＧとの四つのデータに紐付ける識別番号を００１番として制御部４１が作成する。そして、制御部４１は、ピクトグラムＳ１と、カラーバーコードＫ１と、カラーバーコードＫ１に紐付けられる情報データと、カラーバーコードＫの設置場所との四つのデータをそれぞれ識別番号００１番のデータに紐付けて識別番号データベース４２ｄに記憶させる。また制御部４１は、ピクトグラムＳ１と、ピクトグラムＳ１に関連する情報データＤと、情報データＤに対応するカラーバーコードＫ１と、カラーバーコードＫ１の設置場所Ｇとのそれぞれを、ピクトグラムデータベース４２ａ、情報データベース４２ｃ、カラーバーコードデータベース４２ｂ、設置場所データベース４２ｅに記憶させる。
つまり、本実施形態においては、ピクトグラムＳと、カラーバーコードＫと、情報データと、カラーバーコードＫの設置場所との四つのデータを識別番号と紐付けて格納するための格納部としての機能を識別番号データベース４２ｄに担わせる構成としてある。
【００６７】
次に、システム運用管理用サーバ４０（制御部４１）は、認識コード管理用サーバ３０に対して、ピクトグラムＳと、カラーバーコードＫと、カラーバーコードＫに紐付けられる情報データと、カラーバーコードＫの設置場所との四つのデータを識別番号のデータに紐付けて記憶するように指令コマンドを送る。（ステップＳ５）
【００６８】
これを受け、コード管理用サーバ３０の制御部３１は、ピクトグラムＳと、カラーバーコードＫと、カラーバーコードＫに紐付けられる情報データと、カラーバーコードＫの設置場所との四つのデータを、識別番号のデータと紐付けて記憶部３２に記憶させる。（ステップＳ６）
より具体的には図７（ａ）に示すように、例えば、制御部３１は、ピクトグラムＳ１と、このピクトグラムＳ１に関連する情報データＤと、情報データＤに対応するカラーバーコードＫ１と、カラーバーコードＫ１の設置場所データＧとの四つのデータを、識別番号００１番のデータと紐付けて識別番号データベース３２ｄに記憶させる。また制御部３１は、ピクトグラムＳ１と、ピクトグラムＳ１に関連する情報データと、情報データに対応するカラーバーコードＫ１と、カラーバーコードＫ１の設置場所データＧとのそれぞれを、ピクトグラムデータベース４２ａ、情報データベース４２ｃ、カラーバーコードデータベース４２ｂ、設置場所データベース４２ｅに記憶させる。
なお、記憶部３２と記憶部４２とは、各データの格納状態が同じ格納状態となることから、図７において、記憶部３２と記憶部４２との格納状態を共通で説明することとする。
【００６９】
そして図５を参照して、利用者２が想起用標識を認識すると共に、利用者端末２０に内蔵するアプリを用いて想起用標識の近傍に配置されるカラーバーコードＫを読み取る。（ステップＳ７）より具体的には、図１を参照して、利用者２が病院を示すピクトグラムＳ１を認識し、利用者端末２０のアプリでカラーバーコードＫ１を読み取る。
【００７０】
これによって図６を参照して、利用者端末２０の制御部２１は、通信部２３に対して、カラーバーコードＫ１に対応する識別番号のデータと、利用者端末２０のＧＰＳ情報データとをコード管理用サーバ３０へ送信するよう指示コマンドを出し、通信部２３がカラーバーコードＫ１に対応する識別番号のデータと、ＧＰＳ情報データとをコード管理用サーバ３０へ送信する。（ステップＳ８）
【００７１】
そして、認識コード管理用サーバ３０が、利用者端末２０から送信されてきたカラーバーコードＫ１に対応する識別番号のデータと、ＧＰＳ情報データとを受信する。（ステップＳ９）
ここで、認識コード管理用サーバ３０は、識別番号データに紐付けられているカラーバーコードＫ１の設置場所データとＧＰＳ情報データとを照合し、ＧＰＳ情報データが設置場所データの近傍（例えば、半径３０ｍの範囲内等）であるか否かの確認を行う。これによって、カラーバーコードＫが本来の設置場所から移動しているか否かを判定することが可能となる。以下においては、カラーバーコードＫが本来の設置場所にあると仮定し、説明を続けるものとする。なお、カラーバーコードＫが本来の設置場所から移動していると判定された場合は、シール状のカラーバーコードＫの貼り直し作業の依頼を行うこととなる。
【００７２】
そして、制御部３１は、記憶部３２に記憶させてある情報のうち、カラーバーコードＫ１に対応する識別番号のデータに紐付けられている情報データ（関連情報データ）を抽出する。（ステップＳ１０）具体的には、識別番号データベース３２ｄから、カラーバーコードＫ１に対応する識別番号のデータを基にして、カラーバーコードＫ１に紐付けられる情報データを抽出する。
【００７３】
そして、制御部３１は、抽出した情報データを利用者端末２０へと送信する指示を出し、送信部３２が利用者端末２０へ抽出した情報データを送信する。（ステップＳ１１）
【００７４】
そして、利用者端末２０は、コード管理用サーバ３０から送信されたカラーバーコードＫ１に紐付けられる情報データを受信する。（ステップＳ１２）
その後、利用者端末２０の制御部２１は、受信した関連情報データである情報データ（ＨＴＴＰ又はＨＴＴＰＳに基づくＷＥＢページ）を表示部２４に表示させる。（ステップＳ１３）
以上により、通常時における情報提供システム１を用いた情報提供方法が終了する。
【００７５】
次に、図１、図７、図８を参照して、非通常時における情報提供の流れを説明する。なお、本実施形態においては、大規模地震発生時における避難誘導システムとして、本情報提供システム１を運用する場合について以下の説明を行うものとする。更に、以下においては、カラーバーコードＫ１とカラーバーコードＫ２との設置場所の近郊で大規模地震が起きたことで、管理者端末５０がカラーバーコードＫ１とカラーバーコードＫ２との設置場所では緊急避難が必要と判断したと仮定して以下の説明を行うものとする。
また、利用者端末２０のある地域（利用者端末２０を携帯する利用者２の滞在場所）が、カラーバーコードＫ１の設置場所の近傍であるとして以下の説明を行うものとする。
【００７６】
まず図８を参照して、大規模地震発生後、管理者端末５０が、システム運用管理用サーバ４０に対して、設置場所データＧ、設置場所データＨの二つの設置場所データのそれぞれと対応するカラーバーコードＫ１、カラーバーコードＫ２と紐付けて記憶部４２、記憶部３２に記憶させてある情報データの変更を行う指令コマンドを送信する。（ステップＳ１４）
なお管理者端末５０が指令コマンドを発令する構成としては、管理者端末５０において、大規模地震が発生した際、大規模地震の震源地の位置情報とカラーバーコードＫの設置場所データの位置情報とを比較して、例えば、震源地から半径５０ｋｍの範囲内の地域は緊急避難が必要と判断し、その地域にカラーバーコードＫの設置場所がある場合には情報データの変更を行う指令を自動的に出し、震源地から半径５０ｋｍの範囲を超える地域では緊急避難が必要ではないと判断し、その地域にカラーバーコードＫの設置場所がある場合には情報データの変更を行う指令を出さないという構成とすることができる。
【００７７】
そして、システム運用管理用サーバ４０の通信部４３が指令コマンドを受信し、制御部４１が、カラーバーコードＫ１、カラーバーコードＫ２と紐付けて識別番号データベース４２ｄにそれぞれ記憶させてある各情報データを、共通の一種類の情報データに変更を行う処理を実行する。（ステップＳ１５）
これにより、カラーバーコードＫ１、カラーバーコードＫ２に紐付けて識別番号データベース４２ｄに記憶される情報データが共通した一種類の情報データ（非関連情報データ）に変更される。（ステップ１６）具体的には図７（ａ）、図７（ｂ）を参照して、通常時にカラーバーコードＫ１、カラーバーコードＫ２にそれぞれ紐付けて記憶されていた情報データＤ、情報データＥが、情報データＬに変更される。本実施形態においては、この情報データＬは、災害時対策情報データとする構成としてある。より具体的には、情報データＬとして、カラーバーコードＫ１とカラーバーコードＫ２との設置場所から指定避難場所までのルートを示す避難誘導情報データを用いる構成としてある。
なお、ここで「一種類の情報データ」とは、情報データが属する分野が同じ分野であることを意味するものである。例えば、避難誘導情報データという分野に属する情報データであれば、複数の利用者端末２０に送信する情報データが、全く同じ避難誘導情報データである場合と、各利用者端末２０に送信する情報データが、各利用者端末２０のＧＰＳ情報データに基づいてそれぞれ異なる避難誘導情報データである場合との両者を含む概念を意味するものである。つまり、複数の情報データが属する分野が同じ分野であれば、個々の情報データの内容が違う情報データである場合も、一種類の情報データに含むことを意味するものである。
【００７８】
そして、制御部４１は、コード管理用サーバ３０に対して、カラーバーコードＫ１、カラーバーコードＫ２に対応して記憶部３２に記憶させてある情報データＤ、情報データＥを、一種類の情報データＬに変更させる指令コマンドを送信する。（ステップＳ１７）
【００７９】
そしてこの指令コマンドを制御部３１が受け取ることで、制御部３１は、識別番号データベース３２ｄに記憶させてあるカラーバーコードＫ１、カラーバーコードＫ２にそれぞれ対応する情報データＤ、情報データＥを、一種類の情報データＬに変更し、識別番号データベース３２ｄに記憶させる処理を実行する。（ステップＳ１８）
【００８０】
そして、利用者２が想起用標識を認識すると共に、利用者端末２０に内蔵するアプリを用いて想起用標識の近傍に配置されるカラーバーコードＫ１を読み取る。（ステップＳ１９）具体的には、図１を参照して、利用者２が病院を示すピクトグラムＳ１を認識し、利用者端末２０のアプリでカラーバーコードＫ１を読み取る。
【００８１】
これによって、利用者端末２０の制御部２１は、通信部２３に対して、カラーバーコードＫ１に対応する識別番号データと、利用者端末２０のＧＰＳ情報データとをコード管理用サーバ３０へ送信するよう指示コマンドを出し、通信部２３がカラーバーコードＫ１に対応する識別番号データと、ＧＰＳ情報データとをコード管理用サーバ３０へ送信する。（ステップＳ２０）
【００８２】
そして、認識コード管理用サーバ３０が、利用者端末２０から送信されてきたカラーバーコードＫ１に対応する識別番号のデータと、ＧＰＳ情報データとを受信する。（ステップＳ２１）
ここで、認識コード管理用サーバ３０は、識別番号データに紐付けられているカラーバーコードＫ１の設置場所データとＧＰＳ情報データとを照合し、ＧＰＳ情報データが設置場所データの近傍（例えば、半径３０ｍの範囲内等）であるか否かの確認を行う。これによって、カラーバーコードＫが本来の設置場所から移動しているか否か（津波等で流されているか否か等）を判定することが可能となる。以下においては、カラーバーコードＫが本来の設置場所にあると仮定し、説明を続けるものとする。なお、カラーバーコードＫが本来の設置場所から移動していると判定された場合は、利用者２に提供する非関連情報データ（本実施形態においては情報データＬ）に別途新たな情報データ（ＧＰＳ情報データから把握できる位置情報に対応する非関連情報データ等）を付け加えるような構成としてもよい。
【００８３】
そして、制御部３１は、記憶部３２に記憶させてある情報のうち、カラーバーコードＫ１に対応する識別番号のデータに紐付けられている情報データ（非関連情報データ）を抽出する。（ステップＳ２２）具体的には、識別番号データベース３２ｄから、カラーバーコードＫ１に対応する識別番号のデータを基にして、カラーバーコードＫ１に紐付けられる情報データＬを抽出する。
【００８４】
そして、制御部３１は、抽出したカラーバーコードＫ１に紐付けられる情報データを利用者端末２０へと送信する指示を出し、送信部３２が利用者端末２０へ抽出した情報データを送信する。（ステップＳ２３）
【００８５】
そして、利用者端末２０は、認識コード管理用サーバ３０から送信されたカラーバーコードＫ１に紐付けられる情報データ（情報データＬ）を受信する。（ステップＳ２４）
その後、利用者端末２０の制御部２１は、受信した非関連情報データである情報データ（ＨＴＴＰ又はＨＴＴＰＳに基づくＷＥＢ（Ｗｏｒｌｄ  Ｗｉｄｅ  Ｗｅｂ）ページ）を表示部２４に表示させる。（ステップＳ２５）これにより、利用者２は、表示された避難誘導情報データに基づき避難を開始する。
以上により、非通常時における情報提供システム１を用いた情報提供方法が終了する。
【００８６】
このような構成からなる本発明の実施形態に係る情報提供システム１は、以下の効果を奏する。
【００８７】
カラーバーコードＫをピクトグラムＳの近傍に配置すると共に、通常時においては関連情報データを利用者端末２０に送信することで、カラーバーコードＫを介して入手できる情報データがどのような情報データであるのかを、ピクトグラムＳによってカラーバーコードＫの読み取り前に利用者２に容易に（直観的に）認識させることができる。よって、ピクトグラムＳを利用者２への情報提供場所の目印として効果的に利用することができる。また、利用者２にとっては、詳細な情報の取得を希望するカラーバーコードＫがどれかを容易に判断することができ、無用なカラーバーコードＫの読み取りを効果的に防ぐことができる。従って、利便性の高い情報提供システム１とすることができる。更に、非通常時においては、非関連情報データを入手できる目印として、カラーバーコードＫを効果的に利用することができる。また、非通常時においては、関連情報データに替えて非関連情報データを利用者端末２０へ送信する構成とすることで、利用者２に対して効果的な情報提供が可能な情報提供システム１とすることができる。
【００８８】
また、カラーバーコードＫを複数備え、大規模地震発生時には、大規模地震発生場所の近傍に設置されている各カラーバーコードＫの設置場所データを用いて、各カラーバーコードＫに紐付けて記憶部４２、記憶部３２に記憶させてある各情報データを、各関連情報データから一種類の非関連情報データ（避難誘導情報データ）に変更させる構成とすることで、大規模地震発生時において、大規模地震発生場所の近傍にいる利用者２に対して、迅速な避難誘導情報データを送ることが可能な情報提供システム１とすることができる。
つまり、通常時においては、カラーバーコードＫを用いて、ピクトグラムＳと関連する電子データを利用者２に提供できることで、利便性の高い情報提供システム１とすることができると共に、大規模地震発生時（非通常時）においては、カラーバーコードＫを用いて、大規模地震発生場所の近傍にいる利用者２に対して、ピクトグラムＳを目印として、避難誘導情報データを迅速に提供可能な避難誘導システムとして情報提供システム１を利用することができる。よって、通常時においては、親切、丁寧な情報提供システムとすることができると共に、災害時においては、迅速、安心な情報提供システムとすることができるという二面性をもった情報提供システムを一つのカラーバーコードＫで実現できる。
従って、別途インフラ設備を設ける必要なく、既存のカラーバーコードＫを利用して効果的に避難誘導を行うシステムを実現できることから、避難誘導システムの省コスト化が可能なシステムとすることができる。
【００８９】
また、複数のカラーバーコードＫに紐付けて記憶部３２、４２に記憶させてある各関連情報データのうち、大規模地震の発生場所の近傍に設置してあるカラーバーコードＫと紐付けて記憶部３２、記憶部４２に記憶させてある関連情報データだけを非関連情報データに切り替える構成とすることで、大規模地震発生場所の近傍にある利用者端末２０に対してはどのカラーバーコードＫを読み取った場合でも避難誘導情報データを送信する情報提供システム１とすることができる。一方、大規模地震発生場所から遠方にあり、緊急避難が必要ではない判断する地域にある利用者端末２０に対しては、通常時に送信する関連情報を引き続き送信できる情報提供システムとすることができる。従って、大規模地震発生場所の近傍にある利用者端末２０に対しては、いち早く利用者に提供すべき避難誘導情報データを迅速に提供可能なシステムとすることができると共に、大規模地震発生場所から遠方にある利用者端末２０に対しては、引き続きピクトグラムＳと関連した有益な情報を提供可能なシステムとすることができる。よって、必要な情報を必要な場所にある利用者端末２０に送信できる利便性の高い情報提供システム１とすることができる。
【００９０】
また、認識コードとして、カラーバーコードＫを用いる構成とすることで、視認性が高く、複数個の同時認識が可能で、安価な認識コードを実現することができる。
【００９１】
なお、本実施形態においては、ピクトグラムＳと、カラーバーコードＫと、カラーバーコードＫに紐付けられる情報データと、カラーバーコードＫの設置場所との四つのデータを一つの識別番号に紐付けて記憶部３２、記憶部４２に記憶させる構成としたが、ピクトグラムＳと、カラーバーコードＫと、カラーバーコードＫに紐付けられる情報データと、カラーバーコードＫの設置場所とをそれぞれ紐付けて記憶部に記憶させる構成は本実施形態の構成に限るものではなく、ピクトグラムＳと、カラーバーコードＫと、カラーバーコードＫに紐付けられる情報データと、カラーバーコードＫの設置場所とをそれぞれ紐付けて記憶部に記憶させることができる構成であれば、如何なる構成を用いてもよい。
【００９２】
また、本実施形態においては、一つのピクトグラムＳに対して一つのカラーバーコードＫを配置する構成としたが、必ずしもこのような構成に限るものではない。例えば、一つのピクトグラムＳに対して、複数のカラーバーコードＫを配置する構成としてもよい。
また、複数のピクトグラムＳに対して、一つのカラーバーコードＫを配置する構成としてもよい。但し、この場合は、複数のピクトグラムＳがそれぞれ想起させる特定の事物や概念が共通した事物や概念であることが必要である。例えば、フォーク、ナイフ、コーヒーカップ、ケーキに対する四つのピクトグラムＳに対して、レストランに関する電子化された情報データと紐付けられるカラーバーコードＫを一つ配置するようなものである。
【００９３】
また、本実施形態においては、一つのカラーバーコードＫに紐付けて記憶部３２、記憶部４２に記憶させる関連情報データ又は非関連情報データを一つの情報データとする構成としたが、必ずしもこのような構成に限るものではなく、一つのカラーバーコードＫに紐付けて記憶部３２、記憶部４２に記憶させる関連情報データ又は非関連情報データを複数の情報データとする構成としてもよい。このような構成とすることで、一段と利用者２のニーズに沿った情報データを提供できる情報提供システムとすることができる。
【００９４】
また、本実施形態においては、情報データ切り換え手段によって、通常時においてはピクトグラムＳと関連する情報データを記憶部３２、記憶部４２に記憶させると共に、非通常時においては災害発生場所の近傍に設置されているカラーバーコードＫに紐付けて記憶部３２、記憶部４２に記憶させてある情報データだけを一種類の関連情報データから非関連情報データに切り替える構成とした。しかしながら、情報データ切り換え手段が行う情報データの切り換え方法は本実施形態のものに限るものではない。
例えば、記憶部３２、記憶部４２に記憶させる情報データとして、複数の関連情報データと複数の非関連情報データとを備える構成とし、情報データ切り換え手段が、時間と、曜日と、日付との少なくとも何れか一つの因子によって、複数種類の情報データの中から、カラーバーコードＫと紐付けて記憶部３２、記憶部４２に記憶させる情報データを１乃至複数選択する構成としてもよい。
より具体的には図９に示すように、例えば、病院を示すピクトグラムＳ１に対応するカラーバーコードＫ１に紐付けて記憶部３２、記憶部４２に記憶させる関連情報データを、情報データ切り換え手段が、時間と、曜日と、日付との少なくとも何れか一つの因子によって、情報データＤ、情報データＬ、情報データＭの何れかに切り替えるような構成とすることができる。このような構成とすることで、認識コードを介して利用者２が一段とバリエーションに富んだ情報データを入手でき、一段と利用者２のニーズに沿った情報データを提供できる情報提供システムとすることができる。
【００９５】
また、本実施形態においては、非関連情報データとして、避難誘導情報データを用いる構成としたが、非関連情報データは、避難誘導情報データに限るものではなく、他の情報データとする構成としてもよい。例えば、非関連情報データの属する分野を災害時対策情報データとする場合は、非関連情報データとして、救援物資搬送情報データや、救援ヘリの活動範囲情報データや、火災情報データ等とすることができる。
【００９６】
また、本実施形態においては、カラーバーコードＫとして、シールに印刷したシール状のカラーバーコードＫを用いる構成としたが、必ずしもこのような構成に限るものではなく、想起用標識の近傍に配置できる構成であれば、如何なる構成のものを用いてもよい。
【００９７】
また本実施形態においては、認識コード管理用サーバ３０、システム運用管理用サーバ４０をいわゆる外部サーバとする構成としたが、必ずしもこのような構成に限るものではなく、いわゆる内部サーバとする構成としてもよい。
【産業上の利用可能性】
【００９８】
本発明によれば、認識コードを読み取った利用者端末に送信する情報データを効果的に差し替えることができることから、認識コードを利用した情報提供システムの分野における産業上の利用性が高い。
【符号の説明】
【００９９】
１            情報提供システム
２            利用者
２０          利用者端末
２１          制御部
２２          記憶部
２３          通信部
２４          表示部
２５          操作部
３０          認識コード管理用サーバ
３１          制御部
３２          記憶部
３２ａ        ピクトグラムデータベース
３２ｂ        カラーバーコードデータベース
３２ｃ        情報データベース
３２ｄ        識別番号データベース
３２ｅ        設置場所データベース
３３          通信部
４０          システム運用管理用サーバ
４１          制御部
４２          記憶部
４２ａ        ピクトグラムデータベース
４２ｂ        カラーバーコードデータベース
４２ｃ        情報データベース
４２ｄ        識別番号データベース
４２ｅ        設置場所データベース
４３          通信部
５０          管理者端末
５１          制御部
５２          記憶部
５３          通信部
５４          表示部
５５          操作部
６０          電気通信回線
Ｂ            マス目
Ｄ            情報データ
Ｅ            情報データ
Ｆ            情報データ
Ｇ            設置場所データ
Ｈ            設置場所データ
Ｊ            設置場所データ
Ｋ            カラーバーコード
Ｋ１          カラーバーコード
Ｋ２          カラーバーコード
Ｋ３          カラーバーコード
Ｌ            情報データ
Ｍ            情報データ
Ｎ            情報データ
Ｓ            ピクトグラム
Ｓ１          ピクトグラム
Ｓ２          ピクトグラム
Ｓ３          ピクトグラム
【図１】
2017220052.tif 000003
【図２】
2017220052.tif 000004
【図３】
2017220052.tif 000005
【図４】
2017220052.tif 000006
【図５】
2017220052.tif 000007
【図６】
2017220052.tif 000008
【図７】
2017220052.tif 000009
【図８】
2017220052.tif 000010
【図９】
2017220052.tif 000011